(57)【要約】【課題】貼付票に印刷された個人情報を簡単かつ確実な方法で隠蔽して廃棄できるようにすること。【解決手段】貼付票１１と受領票１２と隠蔽票１３を切取線１５で連接してなる上紙２０と、貼付票１１と受領票１２との境界よりも貼付票１１側へずらした位置にスリット１６を形成した下紙３０を貼り合わせて配送伝票１０−１を構成する。そして、貼付票１１に対応する領域の下紙３０を剥がして配送伝票１０−１を貼り付けた後、隠蔽票１３を剥がして貼付票１１の上に貼り付けることによって、貼付票１１に印刷されている個人情報を隠蔽した状態で廃棄するようにする。【選択図】図４
2008213335.tif 000002
【特許請求の範囲】
【請求項１】
プリンタでの印刷適性を有する上紙と下紙を貼り合わせて構成された配送伝票であって、
上紙の裏面に粘着層が設けられた貼付票と、
上紙の裏面に剥離層が設けられた受領票と、
上紙の表面に隠蔽層が設けられ、上紙の裏面に粘着層が設けられた隠蔽票と、が切取線を介して連接されているとともに、
下紙には貼付票と受領票との境界又は貼付票と隠蔽票との境界よりも貼付票側へずらした位置にスリットが形成されており、下紙の表面には貼付票の粘着層及び隠蔽票の粘着層と対応する領域に剥離層が設けられ、受領票の剥離層と対応する領域に接着剤層が設けられている
ことを特徴とする配送伝票。
【請求項２】
プリンタでの印刷適性を有する上紙と下紙を貼り合わせて構成された配送伝票であって、
上紙の裏面に粘着層が設けられた貼付票と、
貼付票に囲まれてなり、上紙の裏面に剥離層が設けられた受領票と、
貼付票に囲まれて受領票に隣接し、上紙の表面に隠蔽層が設けられ、上紙の裏面に粘着層が設けられた隠蔽票と、が切取線を介して連接されているとともに、
下紙には貼付票と受領票との境界及び貼付票と隠蔽票との境界よりも貼付票側へずらした位置にスリットが形成されており、下紙の表面には貼付票の粘着層及び隠蔽票の粘着層と対応する領域に剥離層が設けられ、受領票の剥離層と対応する領域に接着剤層が設けられている
ことを特徴とする配送伝票。
【請求項３】
上記切取線に沿った周辺部に粘着剤を塗布しない余白部が設けられている請求項１又は請求項２に記載の配送伝票。
【発明の詳細な説明】
【技術分野】
【０００１】
本発明は、通信販売業界や百貨店業界、あるいは運輸業界等で使用される配送伝票に関する。
【背景技術】
【０００２】
従来、例えば通信販売で注文された商品を配送する際に、販売業者は商品の包装箱に配送伝票を貼り付けて商品管理を行なっている。そして、配達員は配送伝票に従って商品を配達し、配送伝票から剥がし取った受領票に受取人の捺印かサインをもらい、その受領票を配達記録として配達店に持ち帰るようにしている。
【０００３】
それに対し、受取人は包装箱を開封して商品を取り出した後、包装箱を処分することになるが、包装箱に貼付された配送伝票には、商品に関する情報だけでなく受取人の住所や連絡先などの個人情報が印刷されている。そこで、受取人はその個人情報を他人に見られないようにするために、包装箱から配送伝票を引き剥がして別途廃棄するか、あるいは個人情報の部分をペンで塗り潰して廃棄するようにしている。
【０００４】
ところが、通常、配送伝票は商品の配達中に脱落しないように包装箱に強く貼り付いているので、包装箱から引き剥がすのは困難な作業である。特に上紙と下紙の２枚の用紙を貼り合わせて構成された配送伝票の場合、貼付票の部分は強粘着であるため、貼付票に印刷された個人情報を剥がしづらい。また、個人情報の部分を塗り潰す方法の場合にも、ペンを用意する必要があるうえに、塗り潰すのにも手間が掛かるという問題がある。
【０００５】
なお、下記の特許文献１には、個人情報を保護できるようにした配送伝票が開示されている。この配送伝票は伝票基材、タック基材、剥離紙の３層構造からなり、伝票基材には折りミシン目を介して隠蔽基材が連接され、隠蔽基材の周縁に沿ってハーフカットが形成されている。そして、剥離紙を剥がして配送伝票を商品に貼り付けた後、ハーフカットを介して隠蔽基材の周縁部を剥がし取り、隠蔽基材を折りミシン目で折り畳んで伝票基材に貼り付けることによって、伝票基材の情報領域を隠蔽するようになっている。
【０００６】
しかし、この配送伝票は伝票基材、タック基材、剥離紙の３層構造であり、伝票全体の厚みが大きく腰が強いので、印刷が困難になることもある。また、隠蔽基材を折り畳むことによって伝票基材に貼り付けるようになっているので、隠蔽される領域が隠蔽基材に隣接した情報領域に限定されてしまい、伝票領域に印刷された配達先などの個人情報を隠蔽することはできない。
【０００７】
【特許文献１】特開２００６−２９７７８４号公報
【発明の開示】
【発明が解決しようとする課題】
【０００８】
本発明は上記のような問題を解決するためになされたものであり、その目的とするところは、受取人が配送伝票を廃棄する際に、貼付票に印刷された個人情報を簡単かつ確実な方法で隠蔽して廃棄できるようにした配送伝票を提供することにある。
【課題を解決するための手段】
【０００９】
上記の目的を達成するため、本発明は、プリンタでの印刷適性を有する上紙と下紙を貼り合わせて構成された配送伝票であって、上紙の裏面に粘着層が設けられた貼付票と、上紙の裏面に剥離層が設けられた受領票と、上紙の表面に隠蔽層が設けられ、上紙の裏面に粘着層が設けられた隠蔽票と、が切取線を介して連接されているとともに、下紙には貼付票と受領票との境界又は貼付票と隠蔽票との境界よりも貼付票側へずらした位置にスリットが形成されており、下紙の表面には貼付票の粘着層及び隠蔽票の粘着層と対応する領域に剥離層が設けられ、受領票の剥離層と対応する領域に接着剤層が設けられていることを特徴とする。
【００１０】
また、同様の目的を達成するため、本発明は、プリンタでの印刷適性を有する上紙と下紙を貼り合わせて構成された配送伝票であって、上紙の裏面に粘着層が設けられた貼付票と、貼付票に囲まれてなり、上紙の裏面に剥離層が設けられた受領票と、貼付票に囲まれて受領票に隣接し、上紙の表面に隠蔽層が設けられ、上紙の裏面に粘着層が設けられた隠蔽票と、が切取線を介して連接されているとともに、下紙には貼付票と受領票との境界及び貼付票と隠蔽票との境界よりも貼付票側へずらした位置にスリットが形成されており、下紙の表面には貼付票の粘着層及び隠蔽票の粘着層と対応する領域に剥離層が設けられ、受領票の剥離層と対応する領域に接着剤層が設けられていることを特徴とする。
【００１１】
使用できるプリンタの種類としては各種考えられるが、本発明では用紙にサーマル層や磁気記録層のような特殊加工を施す必要があるサーマルプリンタや磁気プリンタは対象外である。本発明で対象となるプリンタはレーザープリンタやインクジェットプリンタ等のノンインパクトプリンタであり、このようなノンインパクトプリンタで印刷可能な用紙としては、例えば上質紙、普通紙、再生紙等が挙げられる。
【００１２】
本発明において、貼付票は、配送伝票のうち商品や荷物に貼り付けてその配達先を表示するためのものである。また、受領票は、配達先で貼付票から切り離して剥がし取り、配達記録として持ち帰って配達確認処理を行なうためのものである。この受領票には配達票や配達票兼受領書のように同じ機能を持つが別名称で呼ばれる伝票も含まれる。さらに、隠蔽票は、受取人が配送伝票を廃棄する際に貼付票から切り離して剥がし取り、貼付票の上に貼り付けて情報を隠蔽するためのものである。隠蔽票は隠蔽層を備えているが、この隠蔽層は上紙の表面に例えば黒色、青色、濃紺色などの濃色系インキでベタ印刷や地紋印刷などの透過防止加工を施すことにより形成することができる。
【００１３】
また、上記の構成からなる配送伝票において、商品や荷物に貼り付けた後で貼付票から受領票を確実に切り離せるようにするためには、上記切取線に沿った周辺部に粘着剤を塗布しない余白部が設けられていることが好ましい。
【発明の効果】
【００１４】
本発明によれば、包装箱に貼付された配送伝票について、従来のように配送伝票を引き剥がしたりペンで塗り潰したりする必要がなく、隠蔽票を剥がして貼付票の上に貼り付けるだけの簡単な作業によって、貼付票に印刷されている配達先の住所、氏名、連絡先等の個人情報を隠蔽した状態で廃棄することができる。また、隠蔽票は裏面の粘着層によって貼付票の上に貼り付いており、無理に剥がそうとすると紙破壊を起こすので、貼付票に印刷された個人情報を盗み見ることはできず、確実に個人情報を保護することができる。
【発明を実施するための最良の形態】
【００１５】
以下、本発明の実施形態について、図面を参照しながら説明する。
【００１６】
図１は、本発明に係る配送伝票の第１実施形態を示す外観図である。
【００１７】
図１に示すように、本実施形態の配送伝票１０−１は、通信販売業者や運送業者が配送業務で使用する伝票であり、上紙２０と下紙３０の２枚の上質紙を重ねて貼り合わせることによって表裏面にレーザープリンタやインクジェットプリンタ等のノンインパクトプリンタで印刷できるようになっている。
【００１８】
配送伝票１０−１には貼付票１１、受領票１２、隠蔽票１３の３つの伝票が上紙２０の同一面に設定されており、図示した例では上紙２０の左側に貼付票１１、中央に受領票１２、右側に隠蔽票１３が配置されている。また、隠蔽票１３の右端には貼付部１４が配置されている。なお、これらの伝票の配置関係は図示した例に限らず、例えば中央に貼付票１１を配置し、その左右両側に受領票１２と隠蔽票１３を配置する構成や、中央に隠蔽票１３を配置し、その左右両側に貼付票１１と受領票１２を配置する構成にしてもよい。
【００１９】
貼付票１１は配達する商品に貼り付けて配達先を表示するためのものであり、表面に伝票番号記入欄１１ａと配達先記入欄１１ｂが設けられている。また、受領票１２は配達先で貼付票１１から切り離した後持ち帰って配達確認処理を行なうためのものであり、表面に伝票番号記入欄１２ａと、配達先記入欄１２ｂと、捺印欄１２ｃが設けられている。さらに、隠蔽票１３は受取人が配送伝票１０−１を廃棄する際に貼付票１１から切り離して剥がし取った後、貼付票１１の上に貼り付けて情報を隠蔽するためのものであり、表面に黒色等の濃色インキで地紋印刷した隠蔽層２３が設けられている。
【００２０】
そして、上記の貼付票１１、受領票１２、隠蔽票１３は縦方向に設定された切取線１５を介して切り離し可能に連接されており、隠蔽票１３と貼付部１４も切取線１５を介して連接されている。これらの切取線１５は上紙２０の表面から下紙３０を貫通しない深さまで切り込みを入れたハーフカットである。また、切取線１５はハーフカットでなくミシン目にしてもよい。なお、受領票１２と隠蔽票１３を切り離す際にそれぞれを摘み易くするため、図のように受領票１２と隠蔽票１３の角部を切り落としたコーナーカット１７が形成されているとよい。
【００２１】
図２は、配送伝票の上紙と下紙の構成を示す平面図である。
【００２２】
図２（ａ）に示すように、上紙２０の裏面には左右両側にある貼付票１１と隠蔽票１３と貼付部１４の領域に、粘着剤を均一厚みで塗布して乾燥させた粘着層２１が設けられている。粘着剤としては、一般に紙ラベル用に使用されているアクリル系エマルジョン型粘着剤が好適であり、本実施形態では強粘着剤「ＳＥ−７００１」（昭和高分子株式会社、製品名）を使用している。また、中央にある受領票１２の領域に限定して、剥離剤を均一厚みで塗布して乾燥させた剥離層２２が設けられている。剥離剤としては例えばシリコーンを含有した紫外線硬化型インキを使用することができ、本実施形態では無色透明なオーバープリントニス「ＮＶＲ  ＯＰニス  ＵＰ−２００」（株式会社Ｔ＆Ｋ  ＴＯＫＡ、製品名）を使用している。
【００２３】
なお、受領票１２に粘着剤が付着していると貼付票１１から切り離しにくくなり、しかもＯＣＲ装置などで読み取りする際に支障を来たすので、受領票１２の外側には切取線１５に沿った周辺部に粘着剤を塗布しないようにして余白部２４を設けてある。
【００２４】
それに対し、図２（ｂ）に示すように、下紙３０の表面には貼付票１１の粘着層２１と対応する領域と、隠蔽票１３の粘着層２１と対応する領域と、貼付部１４の粘着層２１と対応する領域に、剥離剤を均一厚みで塗布して乾燥させた剥離層３１が設けられている。剥離剤にはシリコーン系剥離剤を使用することができ、本実施形態では「シリコン」（信越化学工業株式会社、製品名）を使用している。また、受領票１２の剥離層２２と対応する領域には、剥離性を有する感圧接着剤を均一厚みで塗布して乾燥させた接着剤層３２が設けられている。本実施形態では感圧性接着剤として天然ゴム系ラテックス「Ａ７００Ｋ−０９」（株式会社レジテックス、製品名）を使用している。
【００２５】
また、下紙３０には貼付票１１と受領票１２との境界よりも貼付票１１側へずらした位置に縦方向のスリット１６が形成されている。また、下紙３０の右端にもスリット１６が形成されているが、このスリット１６は隠蔽票１３と貼付部１４の境界にある切取線１５よりも若干外側にずらして配置されている。これらのスリット１６は下紙３０の裏面から上紙２０を貫通しない深さまで切り込みを入れたハーフカットである。なお、下紙３０は使用時まで上紙２０の裏面の粘着層２１を保護するための剥離紙として機能する。
【００２６】
図３は、配送伝票の断面図である。
【００２７】
図３に示すように、上記の構成からなる下紙３０の上に上紙２０を重ねて貼り合わせることによって、貼付票１１の位置では上紙裏面の粘着層２１とこれに対向する下紙表面の剥離層３１とが接触し、両者の境界面で上紙２０と下紙３０が剥離可能に接着される。また、受領票１２の位置では上紙裏面の剥離層２２とこれに対向する下紙表面の接着剤層３２とが接触しており、両者の境界面で上紙２０と下紙３０が剥離可能に疑似接着されている。さらに、隠蔽票１３の位置では上紙裏面の粘着層２１とこれに対向する下紙表面の剥離層３１とが接触しており、両者の境界面で上紙２０と下紙３０が剥離可能に接着されている。
【００２８】
図４は、配送伝票の使用方法を示す説明図である。
【００２９】
まず、配達業者は商品を配達する際に、レーザープリンタ等の汎用プリンタを使用して配送伝票１０−１の貼付票１１と受領票１２に必要事項を印刷する。
【００３０】
具体的には、貼付票１１と受領票１２の伝票番号記入欄１１ａ，１２ａに商品管理のための同一の伝票番号を印字し、貼付票１１と受領票１２の配達先記入欄１１ｂ，１２ｂにそれぞれ配達先の住所、氏名、連絡先等の情報を印字する。このとき、貼付票１１の部分は粘着層２１により接着され、受領票１２の部分は接着剤層３２により疑似接着されているので、上紙２０と下紙３０の間に浮きがなく、配送伝票１０−１全体の厚みが均一になっている。よって、プリンタでの通紙が安定するとともに、印字のカスレや抜けが発生せず良好な印刷が可能になる。
【００３１】
次に、配達業者は、必要事項を印刷した配送伝票１０−１を商品の包装箱５０に貼付する。
【００３２】
すなわち、図４（ａ）に示すように、配送伝票１０−１の裏側にあるスリット１６を切断し、貼付票１１に対応する部分の下紙３０を上紙２０から剥がし取る。ここで、スリット１６は貼付票１１と受領票１２との境界よりも貼付票１１側へずらした位置に形成されているので、残りの下紙３０は上紙裏面の粘着層２１によって上紙２０に貼り付いたまま残るようになっている。また、左側にあるスリット１６を切断して貼付部１４に対応する部分の下紙３０を上紙２０から剥がし取る。そして、上記のように下紙３０の両端部を剥がし取ると粘着層２１が露出するので、この粘着層２１を介して包装箱５０に貼り付ければ、貼付票１１と受領票１２が表側に現れて配達先等の情報を確認できる。
【００３３】
次に、配送伝票１０−１に従って商品を配達し終えたら、配送伝票１０−１から受領票１２を剥がし取る。
【００３４】
ここで、図４（ｂ）に示すように受領票１２の裏面は剥離層２２になっており、下紙表面の接着剤層３２に疑似接着されているので、図のように受領票１２を摘んで引き剥がせば、受領票１２と貼付票１１の境界にある切取線１５と、受領票１２と隠蔽票１３の境界にある切取線１５がそれぞれ切断され、配送伝票１０−１から受領票１２のみを切り離して剥がし取ることができる。そして、商品を受取人に手渡した後、剥がし取った受領票１２の捺印欄１２ｃに受取人の捺印又はサインをもらい、それを配達店に持ち帰って配達確認処理を行なう。なお、受領票１２の裏面には粘着剤が残っていないので、取り扱いがし易く、ＯＣＲ装置で紙詰まり等のトラブルが起こらず確実な読み取りが行なえる。
【００３５】
最後に、受取人は包装箱５０を開封して商品を取り出した後、包装箱５０を処分する。
【００３６】
ここで、包装箱５０に貼付された配送伝票１０−１の貼付票１１には受取人の住所や連絡先等の個人情報が印刷されているが、この個人情報を隠蔽票１３で隠蔽してから処分するようにする。すなわち、隠蔽票１３を摘んで引き剥がすと、右側にある切取線１５が切断されて貼付部１４が包装箱５０に貼り付いたまま残り、隠蔽票１３の裏面の粘着層２１と下紙表面の剥離層３１との境界面を介して剥離される。そして、図４（ｃ）に示すように、隠蔽票１３を剥がし取ることにより粘着層２１が露出するので、この粘着層２１を介して貼付票１１の上に貼り付ければ、貼付票１１の伝票番号記入欄１１ａと配達先記入欄１１ｂを隠蔽層２３により隠蔽した状態で廃棄することができる。
【００３７】
このように、本実施形態の配送伝票１０−１によれば、従来のように包装箱から配送伝票を引き剥がしたり、個人情報の部分をペンで塗り潰したりする必要がなく、隠蔽票１３を剥がして貼り付けるだけの簡単かつ確実な方法で個人情報を隠蔽できる。なお、隠蔽票１３の裏面の粘着層２１は強粘着になっており、無理に剥がそうとすると紙破壊を起こすので、配達先記入欄１１ｂに記入された個人情報を盗み見ることはできない。
【００３８】
図５は、本発明に係る配送伝票の第２実施形態を示す外観図である。
【００３９】
図５に示すように、本実施形態の配送伝票１０−２は、受領票１２と隠蔽票１３の配置が第１実施形態のものと異なっている。すなわち、受領票１２と隠蔽票１３は共に貼付票１１に囲まれて隣接しており、受領票１２と隠蔽票１３のそれぞれの輪郭を形成するように切取線１８が設定されている。この切取線１８は上紙２０の表面から下紙３０を貫通しない深さまで切り込みを入れたミシン目である。また、受領票１２と隠蔽票１３を摘み易くするため、図のように受領票１２と隠蔽票１３の角部を切り落としたコーナーカット１７が形成されている。
【００４０】
図６は、この配送伝票の上紙と下紙の構成を示す平面図である。
【００４１】
図６（ａ）に示すように、上紙２０の裏面には貼付票１１の領域と隠蔽票１３の領域に粘着層２１が設けられ、受領票１２の領域に剥離層２２が設けられている。また、受領票１２の周囲には粘着剤を塗布しない余白部２４が形成されている。なお、粘着剤と剥離剤については第１実施形態と同じものを使用することができる。
【００４２】
それに対し、図６（ｂ）に示すように、下紙３０には貼付票１１と受領票１２との境界及び貼付票１１と隠蔽票１３との境界よりも貼付票１１側へずらした位置に、受領票１２と隠蔽票１３の輪郭よりも一回り大きな輪郭を有するスリット１９が形成されている。このスリット１９は下紙３０の裏面から上紙２０を貫通しない深さまで切り込みを入れたハーフカットである。このように、スリット１９の輪郭を受領票１２及び隠蔽票１３の輪郭よりも大きくするのは、下紙３０のスリット１９よりも内側の部分を上紙２０に確実に貼り付けておくためである。
【００４３】
また、下紙３０の表面には貼付票１１及び隠蔽票１３と対応する領域に剥離層３１が設けられ、受領票１２と対応する領域に感圧性接着剤からなる接着剤層３２が設けられている。なお、剥離剤と感圧性接着剤についても第１実施形態と同じものを使用することができる。
【００４４】
本実施形態の配送伝票１０−２については、受領票１２と隠蔽票１３が貼付票１１に囲まれた構造であり、裏面のスリット１９の周囲にある下紙３０を剥がし取って商品の包装箱５０に貼り付けるようになっている。このため、配送伝票１０−２の周縁４辺がすべて包装箱５０に接着されて浮きが発生しないので、商品の配達中に受領票１２や隠蔽票１３が脱落することを防止できるという利点がある。また、商品を配達し終えたら、切取線１８を切断することによって受領票１２を剥がし取って持ち帰ることができる。さらに、受取人が包装箱５０を処分する際には、切取線１８を切断することによって隠蔽票１３を剥がし取って貼付票１１の上に貼り付ければ、第１実施形態のときと同様に貼付票１１に印刷された個人情報を隠蔽した状態で廃棄することができる。
【図面の簡単な説明】
【００４５】
【図１】本発明に係る配送伝票の第１実施形態を示す外観図である。
【図２】図１の配送伝票について（ａ）は上紙を裏側から見た平面図、（ｂ）は下紙を表側から見た平面図である。
【図３】図１の配送伝票のＸ−Ｘ線断面図である。
【図４】図１の配送伝票の使用方法を示す説明図で、（ａ）は下紙の一部を剥がす時の状態、（ｂ）は受領票を剥がす時の状態、（ｃ）は隠蔽票を貼り付ける時の状態を示す各説明図である。
【図５】本発明に係る配送伝票の第２実施形態を示す外観図である。
【図６】図５の配送伝票について（ａ）は上紙を裏側から見た平面図、（ｂ）は下紙を表側から見た平面図である。
【符号の説明】
【００４６】
１０−１、１０−２  配送伝票
１１  貼付票
１１ａ  伝票番号記入欄
１１ｂ  配達先記入欄
１２  受領票
１２ａ  伝票番号記入欄
１２ｂ  配達先記入欄
１２ｃ  捺印欄
１３  隠蔽票
１４  貼付部
１５  切取線
１６  スリット
１７  コーナーカット
１８  切取線
１９  スリット
２０  上紙
２１  粘着層
２２  剥離層
２３  隠蔽層
２４  余白部
３０  下紙
３１  剥離層
３２  接着剤層
【図１】
2008213335.tif 000003
【図２】
2008213335.tif 000004
【図３】
2008213335.tif 000005
【図４】
2008213335.tif 000006
【図５】
2008213335.tif 000007
【図６】
2008213335.tif 000008